【事件の表示】
　特許第６０３０５９２号に関する訂正審判事件について、次のとおり審決する。
【結　論】
　特許第６０３０５９２号の明細書及び特許請求の範囲を本件審判請求書に添付された訂正明細書及び特許請求の範囲のとおり訂正することを認める。
【理　由】
第１　手続の経緯 
　本件訂正審判の請求に係る特許第６０３０５９２号（以下、「本件特許」という。）は、平成２６年３月１１日に出願したものであって、その請求項１に係る発明は、平成２８年１０月２８日に特許権の設定登録がなされ、平成２９年１１月２８日に本件訂正審判の請求がなされたものである。 
第２　請求の趣旨 
　本件訂正審判の趣旨は、本件特許の明細書、特許請求の範囲を本件審判請求書に添付した訂正明細書、特許請求の範囲のとおり訂正することを認める、との審決を求めるものである。 
第３　訂正事項 
１　訂正事項１ 
　本件特許の特許請求の範囲の請求項１に「前記第１リーチ演出を実行する場合と、前記第２リーチ演出を実行する場合とで、前記確定演出の実行態様を異ならせるものとし」とあるのを、「前記第１リーチ演出を実行する場合と、前記第２リーチ演出を実行する場合とで、前記確定演出の実行タイミングを異ならせるものとし」に訂正する。 
２　訂正事項２ 
　本件特許の明細書の段落【０００８】に「前記第１リーチ演出を実行する場合と、前記第２リーチ演出を実行する場合とで、前記確定演出の実行態様を異ならせるものとし、」とあるのを、「前記第１リーチ演出を実行する場合と、前記第２リーチ演出を実行する場合とで、前記確定演出の実行タイミングを異ならせるものとし、」に訂正する。
第４　当審の判断 
１　訂正事項１について 
（１）訂正の目的について 
　訂正前の請求項１記載の特許発明では、「前記第１リーチ演出を実行する場合と、前記第２リーチ演出を実行する場合とで、前記確定演出の実行態様を異ならせるものとし」として、確定演出の実行態様が実行割合や実行タイミング等の複数の要素を含むものの、如何なるものであるのかについては何ら特定されていない。
　これに対し、訂正後の請求項１記載の特許発明では、確定演出の実行態様という上位概念を実行タイミングという下位概念に限定しており、特許請求の範囲を減縮しようとするものであるから、当該訂正事項１は、特許法第１２６条第１項ただし書第１号に規定する特許請求の範囲の減縮を目的とするものである。
（２）新規事項の追加及び特許請求の範囲の拡張又は変更の有無について 
　本件特許の明細書において、段落【０５０２】には、「そして、この「スペシャルリーチ（大当たり）１」では、サブＣＰＵ１２０ａは、後述の図４０（ｄ）に示す演出制御情報に基づいて、大当たり判定の判定結果が大当たりであることが確定した旨を報知する「大当たり確定演出」を実行する。この「大当たり確定演出」は、例えば、音声出力装置３２から所定の効果音を出力するとともに盤用照明装置３４ａのＬＥＤ等を点灯させるものである。サブＣＰＵ１２０ａはこのような「大当たり確定演出」を実行する場合には、例えば図３２（ａ）に示すタイミングＰ１１〜Ｐ１４のうちの何れのタイミングで実行するかを決定する。なお、「大当たり確定演出」の実行タイミングは、この図３２（ａ）に示すタイミングタイミングＰ１１〜Ｐ１４に限定されない。」との記載があり、段落【０５５０】には、「そして、サブＣＰＵ１２０ａは、この「スペシャルリーチ（大当たり）３−２」において、後述の図４１Ｂ（ｄ−２）に示す演出制御情報に基づいて、大当たりの判定結果が大当たりであることが確定した旨を報知する「大当たり確定演出」を実行する。この「大当たり確定演出」は、例えば、音声出力装置３２から所定の効果音を出力するとともに盤用照明装置３４ａのＬＥＤ等を点灯させるものである。サブＣＰＵ１２０ａは、このような「大当たり確定演出」を実行する場合には、後述の図４１Ｂ（ｄ−２）に示す演出制御情報に基づいて、タイミングＰ３１〜Ｐ３４のうちの何れかのタイミングで実行するようにする。なお、この「大当たり確定演出」を実行する場合には、タイミングＰ３１〜Ｐ３４のうちの何れかのタイミングに限定されない。」との記載がある。
　また、本件特許の明細書において、段落【０５２８】には、「また、図４０（ｄ）の演出制御情報は、「スペシャルリーチ（大当たり）１」において、大当たり確定演出の実行タイミング割合を示している。サブＣＰＵ１２０ａは、実行するカットイン予告に応じて、取得した「乱数値Ｆ」によってスペシャルリーチ開始前のタイミングＰ１１、Ｐ１２、スペシャルリーチ開始後のタイミングＰ１３、Ｐ１４のうちの何れのタイミングで大当たり確定演出を実行するかを決定する。」との記載があり、段落【０５２９】には、「「スペシャルリーチ（大当たり）１」において「剣士Ｂ」が登場するカットイン予告を実行する場合には、大当たり確定演出を４０％の割合（乱数値Ｆが０〜３９）でスペシャルリーチ開始前のタイミングＰ１１に実行し、３０％の割合（乱数値Ｆが４０〜６９）でスペシャルリーチ開始前のタイミングＰ１２に実行し、２０％の割合（乱数値Ｆが７０〜８９）でスペシャルリーチ開始後のタイミングＰ１３に実行し、１０％の割合（乱数値Ｆが９０〜９９）でスペシャルリーチ開始後のタイミングＰ１４に実行する。また、「スペシャルリーチ（大当たり）１」において「剣２本」が出現する中信頼度のカットイン予告を実行する場合には、大当たり確定演出を２５％の割合（乱数値Ｆが０〜２４）でスペシャルリーチ開始前のタイミングＰ１１に実行し、２５％の割合（乱数値Ｆが２５〜４９）でスペシャルリーチ開始前のタイミングＰ１２に実行し、２５％の割合（乱数値Ｆが５０〜７４）でスペシャルリーチ開始後のタイミングＰ１３に実行し、２５％の割合（乱数値Ｆが７５〜９９）でスペシャルリーチ開始後のタイミングＰ１４に実行する。また、「スペシャルリーチ（大当たり）１」において「剣１本」が出現する低信頼度のカットイン予告を実行する場合には、大当たり確定演出を１０％の割合（乱数値Ｆが０〜９）でスペシャルリーチ開始前のタイミングＰ１１に実行し、２０％の割合（乱数値Ｆが１０〜２９）でスペシャルリーチ開始前のタイミングＰ１２に実行し、３０％の割合（乱数値Ｆが３０〜５９）でスペシャルリーチ開始後のタイミングＰ１３に実行し、４０％の割合（乱数値Ｆが６０〜９９）でスペシャルリーチ開始後のタイミングＰ１４に実行する。」との記載があり、段落【０５８６】には、「また、図４１Ｂ（ｄ−２）の演出制御情報は、「スペシャルリーチ（大当たり）３−２」における、カットイン予告に応じた大当たり確定演出の実行タイミング割合を示している。サブＣＰＵ１２０ａは、実行するカットイン予告に応じて、取得した「乱数値Ｆ」によってスペシャルリーチ開始前のタイミングＰ３１、Ｐ３２、スペシャルリーチ開始後の夕イミングＰ３３、Ｐ３４のうちの何れのタイミングで大当たり確定演出を実行するかを決定する。」との記載があり、段落【０５８７】には、「また、「スペシャルリーチ（大当たり）３−２」の「剣士Ａ」が登場する高信頼度のカットイン予告を実行する場合、「手裏剣２枚」が出現する中信頼度のカットイン予告を実行する場合、「手裏剣１枚」が出現する低信頼度のカットイン予告を実行する場合の何れにおいても、大当たり確定演出を４５％の割合（乱数値Ｅ〈当審注：「乱数値Ｅ」は「乱数値Ｆ」の誤記と認められる。以下、同様。〉が０〜４４）でスペシャルリーチ開始前のタイミングＰ３１で実行し、３５％の割合（乱数値Ｅが４５〜７９）でスペシャルリーチ開始前のタイミングＰ３２で実行し、１５％の割合（乱数値Ｅが８０〜９４）でスペシャルリーチ開始後のタイミングＰ３３で実行し、５％の割合（乱数値Ｅが９５〜９９）でスペシャルリーチ開始後のタイミングＰ３４で実行する。」との記載がある。
　そして、図３２には、スペシャルリーチ（大当たり）１における大当たり確定演出の実行タイミングと、スペシャルリーチ（大当たり３−２）における大当たり確定演出の実行タイミングが記載されている。
　そうすると、これらの記載から、第１リーチ演出たるスペシャルリーチ（大当たり）１を実行する場合と、第２リーチ演出たるスペシャルリーチ（大当たり３−２）を実行する場合とで、確定演出の実行タイミングを異ならせることが開示されているといえるから、訂正事項１は、本件特許の明細書、特許請求の範囲又は図面（以下、「本件特許明細書等」という。）の記載に基づくものであって、本件特許明細書等のすべてを総合することにより導かれる技術的事項との関係において新たな技術的事項を導入するものではなく、本件特許明細書等に記載した事項の範囲内においてされたものである。
　さらに、訂正事項１は、訂正の前後で特許請求の範囲に記載された発明の拡張又は変更はなく、実質上特許請求の範囲を拡張し、又は変更するものではない。 
　したがって、訂正事項１は、特許法第１２６条第５項及び第６項の規定に適合する。
２　訂正事項２について 
　訂正事項２は、本件特許の明細書の段落【０００８】の請求項１に対応する記載を、訂正事項１に対応させて訂正したものである。
　したがって、訂正事項２は、特許請求の範囲の減縮を目的とする訂正事項１に伴って生じる訂正であるから、特許法第１２６条第１項ただし書第３号に規定する明瞭でない記載の釈明を目的とするものである。
　また、上記１で検討したのと同様に、訂正事項２は、本件特許明細書等の記載に基づくものであって、本件特許明細書等のすべてを総合することにより導かれる技術的事項との関係において新たな技術的事項を導入するものではなく、本件特許明細書等に記載した事項の範囲内においてされたものである。
　さらに、訂正事項２は、訂正の前後で特許請求の範囲に記載された発明の拡張又は変更はなく、実質上特許請求の範囲を拡張し、又は変更するものではない。 
　したがって、訂正事項２は、特許法第１２６条第５項及び第６項の規定に適合する。
第５　独立特許要件について
　訂正後の請求項１記載の発明（以下、「本件訂正発明１」という）の「前記変動演出中の複数のタイミングで前記確定演出を実行可能であるが、前記変動演出中であっても前記有効期間の発生中には前記確定演出を実行しない」という構成は、原出願の拒絶理由において提出された甲第１号証（特開２０１３−２３６８５０号公報）に記載された発明、甲第２号証（「ＣＲプリティバンド」、パチンコ必勝ガイド２００４年１１月２１日号、株式会社白夜書房，２００４年１１月２１日，ｐｐ．７８−８１）、甲第３号証（特開２０１１−０１９７６７号公報）、甲第４号証（特開２０１１−１４３２０４号公報）に記載された発明及び周知技術のいずれにも開示も示唆もされておらず、本件訂正発明１の属する技術の分野における通常の知識を有するものであっても、本件特許出願前に、本件訂正発明１に係る発明を容易にすることができたものではなく、特許法第２９条第２号には該当せず、特許出願の際に独立して特許を受けることができるものであり、特許法第１２６条第７項に適合するものである。
第６　むすび 
　以上のとおりであるから、本件訂正審判の請求に係る訂正事項１は、特許法第１２６条第１項ただし書第１号に掲げる事項を目的とするものであり、かつ、同法同条第５〜７項の規定に適合するものであり、また、本件訂正審判の請求に係る訂正事項２は、特許法第１２６条第１項ただし書第３号に掲げる事項を目的とするものであり、かつ、同法同条第５〜６項の規定に適合するものである。
　よって、結論のとおり審決する。